(57)【要約】【課題】ブロックの形状を工夫することにより、壁パネル間に万一水が侵入した場合であっても、防水パン外への漏れを確実に防止する壁パネルの接合構造を提供する。【解決手段】壁パネルの接合端面間に介装されるジョイナー及び該ジョイナーを防水パンの外周縁部上に立設するブロックを使用して、壁面を形成する複数枚の壁パネルを接合する壁パネルの接合構造であって、前記ブロックは、下部側に設けられて防水パンの外周縁部に設置される設置部と、上部側に設けられてジョイナーの下端が載置される載置部と、載置部から防水パンの室内側に連通する排水路と、を備えることを特徴とする。また、前記載置部の室外側に堰が設けられると共に、該堰前方の載置部に排水路の上流側端部が開口することを特徴とする。【選択図】  図１
2008174984.tif 000002
【特許請求の範囲】
【請求項１】
壁パネルの接合端面間に介装されるジョイナー及び該ジョイナーを防水パンの外周縁部上に立設するブロックを使用して、壁面を形成する複数枚の壁パネルを接合する壁パネルの接合構造であって、
前記ブロックは、下部側に設けられて防水パンの外周縁部に設置される設置部と、上部側に設けられてジョイナーの下端が載置される載置部と、前記載置部から防水パンの室内側に連通する排水路と、を備えることを特徴とする壁パネルの接合構造。
【請求項２】
前記載置部の室外側に堰が設けられると共に、該堰前方の載置部に前記排水路の上流側端部が開口していることを特徴とする請求項１に記載の壁パネルの接合構造。
【発明の詳細な説明】
【技術分野】
【０００１】
本発明は、システムバスルーム等の浴室の壁面を形成する複数枚の壁パネルの接合構造に関する。
【背景技術】
【０００２】
一般的に、システムバスルーム等の浴室の壁面は、複数枚の壁パネルを幅方向に接合することによって形成されており、従来、この壁パネルの接合構造としては、例えば特許文献１に開示のものが知られている。この接合構造は、壁パネルを接合するためのジョイナーを防水パンの立ち上げ壁等の外周縁部上に立設するために、平継ぎ部やコーナ部にブロックが配置されている。
【０００３】
このブロックは、図９に示すように、その上部が防水パン１０１の外周縁部１０１ａより上方に突出する状態で、ブロック１００に設けた一対の引っ掛け部１００ａを防水パン１０１の外周縁部１０１ａに上方から挿入して係止させると共に、ブロック１００の突出部１００ｂにジョイナー１０２の下端を係合させることによりジョイナー１０２が立設されている。そして、防水パン１０１の外周縁部１０１ａに立設されたジョイナー１０２と図示しない乾式目地材等によって、隣接する壁パネルが互いに接合されるようになっている。
【特許文献１】特開２００５−９２２８号公報
【発明の開示】
【発明が解決しようとする課題】
【０００４】
しかしながら、このような接合構造においては、ジョイナー１０２によって接合された壁パネル間に乾式目地材が挿入されて止水されるものの、万一壁パネル間に水が侵入してしまった場合等に、この水がジョイナー１０２の内部等を伝わってジョイナー１０２の下端開口から防水パン１０１外（すなわち外周縁部１０１ａの外側）に漏れてしまう虞があり、浴室の防水性の面で好ましくない。
【０００５】
本発明は、このような事情に鑑みてなされたもので、その目的は、ブロックの形状を工夫することにより、壁パネル間に万一水が侵入した場合であっても、防水パン外への漏れを確実に防止する壁パネルの接合構造を提供することにある。
【課題を解決するための手段】
【０００６】
かかる目的を達成すべく、本発明のうち請求項１に記載の発明は、壁パネルの接合端面間に介装されるジョイナー及び該ジョイナーを防水パンの外周縁部上に立設するブロックを使用して、壁面を形成する複数枚の壁パネルを接合する壁パネルの接合構造であって、前記ブロックは、下部側に設けられて防水パンの外周縁部に設置される設置部と、上部側に設けられてジョイナーの下端が載置される載置部と、前記載置部から防水パンの室内側に連通する排水路と、を備えることを特徴とする。
【０００７】
また、請求項２に記載の発明は、前記載置部の室外側に堰が設けられると共に、該堰前方の載置部に前記排水路の上流側端部が開口していることを特徴とする。
【発明の効果】
【０００８】
本発明のうち請求項１に記載の発明によれば、防水パンの外周縁部上にジョイナーを立設するためのブロックが、下部側に設けた設置部と上部側に設けた載置部及び載置部から防水パンの室内側に連通する排水路を備えるため、排水路によって載置部上の水を防水パン上に流すことができて、壁パネル間に水が侵入した場合であっても、この水の防水パン外への漏れを確実に防止することができる。
【０００９】
また、請求項２に記載の発明によれば、請求項１に記載の発明の効果に加え、載置部の室外側に堰が設けられると共にこの堰前方の載置部に前記排水路の上流側端部が開口しているため、堰によりジョイナーから載置上に流れ落ちた水の室外側への漏れを防止しつつ、載置部上に開口した排水路によって室内側に確実に流すことができる。
【発明を実施するための最良の形態】
【００１０】
以下、本発明の実施の形態を図面に基づいて詳細に説明する。
図１〜図８は、本発明に係わる壁パネルの接合構造の一実施形態を示し、図１が平継ぎ部を室内側から見た斜視図、図２がその室外側から見た斜視図、図３がそのブロックの斜視図、図４がブロックとジョイナーの接合状態の平面図、図５がコーナ部を室内側から見た斜視図、図６がその室外側から見た斜視図、図７がそのブロックの斜視図、図８が図４と同様の平面図である。
【００１１】
図１及び図２に示すように、浴室の一つの壁面を形成する２枚の壁パネル１は、平継ぎ用のジョイナー２とこのジョイナー２の下端部に配置された平継ぎ用のブロック４及び図示しない乾式目地材等によって接合されている。前記ブロック４は、樹脂成形により図３に示す形状に形成され、その下部側である下面の左右幅方向に形成された直線状の溝部４ａ（設置部）と、上部側に形成された平面視長方形状の平坦面からなる載置部４ｂ等を有している。
【００１２】
また、載置部４ａの外周縁部上で裏面側と左右側面側の３面上には、後述するように水の防水パン５外への漏れを防止する横断面コ字状の堰としての壁部４ｃが上方に所定寸法突出状態で一体形成されている。この壁部４ｃの両端側と裏面側の内面には、縦方向（上下方向）に凸条６がそれぞれ一体形成され、また、載置部４ｂ上で前記壁部４ｃの内側には平面視十字形状の突起７が２個一体形成されている。そして、この突起７と前記凸条６間に、図４に示すようにジョイナー２の下端が嵌め込まれるようになっている。さらに、ブロック４の室内側ＲＩとなる前面には、その上流側端部が載置部４ｂに開口し、下流側端部がブロックの室内側Ｒ１となる前面に開口する溝状の排水路８が形成されている。
【００１３】
前記ジョイナー２は、図４に示すように、例えば金属板の屈曲により、前記ブロック４の壁部４ｃの内面形状に略合致した形状に形成されると共に、その両端部には内側に鍵状に屈曲され壁パネル１の幅方向の両端部に設けられた端部係止部１ａ（図１及び図２参照）が係止される係止部２ａがそれぞれ一体形成されている。
【００１４】
このように形成されたブロック４は、図１及び図２に示すように、溝部４ａを防水パン５の外周縁部５ａに上方から嵌め込むことにより防水パン５に取り付けられ、この時、壁部４ｃが室外側ＲＯに位置し排水路８の下流側端部が室内側ＲＩに開口した状態となる。この状態でブロック４の載置部４ｂ上にジョイナー２の下端が嵌め込まれてその下端面が載置部４ｂ上に載置されてジョイナー２がブロック４上（防水パン５の外周縁部５ａ上）に立設される。この時、ジョイナー２の下端は、ブロック４の壁部４ｃに設けた凸条６と突起７の十字形状の２つの先端部により挟持状態で嵌め込まれる。
【００１５】
ジョイナー２が立設され、この立設状態のジョイナー２の一対の係止部２ａに、接合される２枚の壁パネル１の端部係止部１ａをそれぞれ係止させて、ジョイナー２により２枚の壁パネル１を接合する。そして、この接合した壁パネル１の接合端部間で形成される隙間９（図２参照）に図示しない乾式目地材を挿入することにより、２枚の壁パネル１の平継ぎ部の接合作業が完了する。
【００１６】
この壁パネル１の接合状態において、ブロック４の壁部４ｃが壁パネル１の裏面側となる室外側ＲＯに位置して壁部４ｃの室内側ＲＩが開口していることから、ジョイナー２内に侵入して該ジョイナー２の内部を流れ落ちた水は、ジョイナー２の下端からブロック４の載置面４ｂ上に流れ、この載置面４ｂにその上流側端部が開口している排水路８を介して下流側端部の開口から下方の防水パン５上に流れ、ジョイナー２間に侵入した水の防水パン５外への漏れが防止されることになる。
【００１７】
一方、隣接する壁面の連結部となるコーナ部の一対の壁パネル１は、図５及び図６に示すように、コーナ用のジョイナー１２と下端部のコーナ用のブロック１４及び図示しない乾式目地材等によって接合されている。前記ブロック１４は、樹脂成形により図７に示す形状に形成され、その下端面の両端部には一対の突起で形成される溝部１４ａ（設置部）が形成され、上部には平面視コーナ形状の平坦面からなる載置部１４ｂが形成されている。また、載置部１４ｂの外周縁部上には、前記壁部４ｃと同一機能を有する平面視コーナ形状の堰としての壁部１４ｃが上方に所定寸法突出する状態で一体形成されると共に、この壁部１４ｃの両端側と裏面側の２箇所の内面には、縦方向（上下方向）に凸条６がそれぞれ一体形成され、さらに、載置部１４ｂ上で前記壁部１４ｃの内側には突起７が２個一体形成されている。また、ブロック１４の室内側ＲＩとなる前面の角部には、上両側端部が前記載置部１４ｂ上に開口し、下流側端部がブロックの下面に開口する平面視Ｌ字状の溝からなる排水路１５が形成されている。
【００１８】
また、前記ジョイナー１２は、ジョイナー２と同様に例えば金属板の屈曲により、図８に示すように、前記ブロック１４の壁部１４ｃの内面形状に略合致した平面視コーナ形状に形成され、その両端部には係止部１２ａがそれぞれ一体形成されている。
【００１９】
このように形成されたブロック１４も、図５及び図６に示すように、溝部１４ａを防水パン５の外周縁部５ａに嵌め込むことにより防水パン５のコーナ部に取り付けられ、このブロック１４の載置部１４ｂ上にジョイナー１２の下端が嵌め込まれてその下端面が載置部１４ｂ上に載置され、ジョイナー１２がブロック１４上に立設される。そして、この立設状態のジョイナー１２の一対の係止部１２ａに、接合される２枚の壁パネル１の端部係止部１ａをそれぞれ係止させて、ジョイナー１２により２枚の壁パネル１を接合し、この接合した壁パネル１の接合端部で形成される隙間９（図６参照）に図示しない乾式目地材を挿入することにより、壁パネル１のコーナ部の接合作業が完了する。
【００２０】
この壁パネル１の接合状態において、ブロック１４の壁部１４ｃが壁パネル１の裏面側となる室外側ＲＯに位置して壁部１４ｃの室内側ＲＩが開口していることから、ブロック４と同様に、ジョイナー１２内に侵入して該ジョイナー１２の内部に沿って載置部１４ｂ上に流れ落ちた水は、載置部１４ｂ上に開口している排水路１５を介して下方の防水パン５上に流れ落ち、ジョイナー１２間に侵入した水の防水パン５外への漏れが防止されることになる。
【００２１】
このように、上記実施形態の壁パネル１の接合にあっては、ブロック４、１４の下部側に設置部としての溝部４ａ、１４ａが設けられ上部側に載置部４ｂ、１４ｂが設けられると共に、上流側端部が載置部４ｂ、１４ｂ上に開口する排水路８、１５が設けられているため、この排水路８、１５を介してジョイナー２、１２からブロック４、１４の載置部４ｂ、１４ｂ上に流れ落ちた水を防水パン５上に流すことができて、壁パネル１間に水が侵入した場合であっても、この水の防水パン５外への漏れを確実に防止することができる。
【００２２】
特に、載置部４ｂ、１４ｂから立設状態で堰としての壁部４ｃ、１４ｃが設けられていることから、ブロック４、１４の壁部４ｃ、１４ｃによってジョイナー１２の下端の室外側ＲＯを覆うことができて、壁パネル１間に侵入しジョイナー２、１２の内部を伝わって流れ落ちる水を、壁部４ｃ、１４ｃによりその外側への漏れを阻止することができ、水の防水パン５外への漏れを一層確実に防止することが可能となる。
【００２３】
また、ブロック４、１４の壁部４ｃ、１４ｃ内面にジョイナー挟持用の複数の凸条６が壁部４ｃ、１４ｃの上下方向の全域に亘って設けられると共に、載置部４ｂ、１４ｂ上に平面視十字形状の一対の突起７が設けられているため、所定長さの凸条６と突起７によりジョイナー２、１２の複数箇所を上下方向に線接触状態で挟持することができると共に、壁部４ｃ、１４ｃによりブロック４、１４自体の構成を高めて、ジョイナー２、１２とブロック４、１４の接合状態を所定に維持して長期に亘り安定させることができると共に、ジョイナー２、１２の下端のブロックの載置部４ｂ、１４ｂへの嵌め込み作業自体を容易に行うことができる。
【００２４】
また、ブロック４、１４の壁部４ｃ、１４ｃがジョイナー２、１２の両端部分を除く略全周に対応して設けられているため、壁部４ｃ、１４ｃによりジョイナー２、１２の下端外周３面を確実に覆うことができると共に、ブロック４、１４の載置部４ｂ、１４ｂが平坦面で形成されているため、ジョイナー２、１２の下端面を良好に支持でき、これらのことから、ジョイナー２、１２のブロック４、１４に対する立設状態を安定させることが可能となる。
【００２５】
なお、上記実施形態においては、ブロック４、１４の各排水路８、１５を異なる形状に形成したが、例えばブロック４にブロック１４と同様の排水路１５を設けたりブロック１４にブロック４と同様の排水路８を設けることができるし、他の適宜形状の排水路を設けることもできる。また、上記実施形態における、壁部４ｃ、１４ｃの高さや内面に形成される凸条６の数や位置等の形状、溝部４ａ、１４ａの形状等も一例であって、本発明に係わる各発明の要旨を逸脱しない範囲において、適宜に変更することができる。
【産業上の利用可能性】
【００２６】
本発明は、システムバスルーム等の浴室に設置される壁パネルの接合に限らず、例えばサウナルームや洗面室等の水廻り空間の各種壁パネルの接合にも利用できる。
【図面の簡単な説明】
【００２７】
【図１】本発明に係わる壁パネルの接合構造を採用した浴室壁面の平継ぎ部を室内側から見た斜視図
【図２】同室外側から見た斜視図
【図３】同平継ぎ部のブロックの斜視図
【図４】同そのブロックとジョイナーの接合状態の平面図
【図５】同コーナ部を室内側から見た斜視図
【図６】同室外側から見た斜視図
【図７】同コーナ部のブロックの斜視図
【図８】同そのブロックとジョイナーの接合状態の平面図
【図９】従来のブロックとジョイナーを示す分解斜視図
【符号の説明】
【００２８】
１・・・壁パネル、１ａ・・・端部係止部、２、１２・・・ジョイナー、２ａ、１２ａ・・・係止部、４、１４・・・ブロック、４ａ、１４ａ・・・溝部（設置部）、４ｂ、１４ｂ・・・載置部、４ｃ、１４ｃ・・・壁部、５・・・防水パン、５ａ・・・外周縁部、６・・・凸条、７・・・突起、８、１５・・・排水路（堰）、９・・・隙間、ＲＩ・・・室内側、ＲＯ・・・室外側。
【図１】
2008174984.tif 000003
【図２】
2008174984.tif 000004
【図３】
2008174984.tif 000005
【図４】
2008174984.tif 000006
【図５】
2008174984.tif 000007
【図６】
2008174984.tif 000008
【図７】
2008174984.tif 000009
【図８】
2008174984.tif 000010
【図９】
2008174984.tif 000011